Podtech/llm-jp-corpus-v4-ja_patent huggingface dataset:
(57)【要約】      （修正有）【課題】かさばらず手軽で、素早く臨場感が味わえる利便性と使い勝手がよく、しかもインパクトがあって、ピーアールにも一段と役立つユニークな立体写真入りパンフレットを提供する。【解決手段】パンフレットを立体写真入りにする、そのパンフレットの内部２には、レンズが無用で立体視用の１枚の短冊形ビューアー１の収納用ポケット部４を付帯すれば、ポケット部４とビューアー１とは、一体的構成となり、立体視は簡単に出来て、臨場感のあるパンフレットとなる。【選択図】図４
0003129405.tif 000002
【実用新案登録請求の範囲】
【請求項１】
立体写真入りパンフレットの余白部分には、１枚の立体視用短冊形ビューアーの収納用ポケット部の付帯を特徴とした立体写真入りパンフレット。
【考案の詳細な説明】
【技術分野】
【０００１】  本考案は、立体写真入りパンフレット本体には、レンズを用いずに立体視ができる１枚の短冊形ビューアーを収納するポケット部を付帯した立体写真入りパンフレットに関するものである。
【背景技術】
【０００２】  従来のパンフレットに掲載されている写真は、平面的である。
【考案の開示】
【考案が解決しようとする課題】
【０００３】  それ故に、パンフレットを見ても写真に奥行きが無く、リアリティーにも乏しく、いまいち物足りない感じの解消が課題である。
【課題を解決するための手段】
【０００４】  そこで、立体写真入りをしたパンフレットの余白部分には、レンズが無用の立体視用短冊形ビューアーを１枚収納するポケット部４を図３の如く付帯し、立体視の際には、ビューアーをそのポケット部から取り出して見る。また立体視が終われば、ビューアーは、元のポケット部へ戻す方法である。
【考案の効果】
【０００５】  よって本考案の立体写真入りパンフレットは、かさばらず手軽で素早く臨場感が味わえる利便性と使い勝手がよい機能性とが相俟って趣があり、しかもインパクトがあって、ピーアールにも一段と役立つユニークな立体写真入りパンフレットである。
【考案を実施するための最良の形態】
【０００６】  図２の様に左右の立体写真３と３入りパンフレットの内部２には、１枚の短冊形ビューアー図１の１、サイズは厚み約１ミリ、幅約４５ミリ、長さ１５０ミリ程度を収納するポケット部４を図３の４の様に付帯する。そのポケット部４へビューアー１を図４の様に収める。立体視の時は、ビューアー１をポケット部４から取り出して立体的に見る。終わればビューアー１は図４の様に元の狭い差し込み口のポケット部４へ戻す。５はパンフレットの２ツ折り線。
【図面の簡単な説明】
【０００７】
【図１】    短冊形ビューアーの正面図。
【図２】    パンフレットの内部と左右の立体写真の正面図。
【図３】    パンフレットの内部に短冊形ビューアーの収納用ポケット部を付帯した正面図。
【図４】    短冊形ビューアーをポケット部に収めた正面図。
【符号の説明】
【０００８】    １      短冊型ビューアー。
２      パンフレットの内部。
３      左右の立体写真。
４      短冊形ビューアーの収納用ポケット部。
５      パンフレットの２ツ折り線。
【図１】
0003129405.tif 000003
【図２】
0003129405.tif 000004
【図３】
0003129405.tif 000005
【図４】
0003129405.tif 000006
(57)【要約】 【課題】      本考案は、竪樋からゴミを取り除いた雨水を取水し、余分の雨水はもとの竪樋に戻す装置を竪樋に取付けて、快適な雨水利用を普及させるためのものである。【解決手段】          屋根を流れる雨水を地上に流す竪樋の雨水龍通路14の上方側に雨水濾過材7とゴミ除去網6を内設しかつ下方側の取水口8に雨水貯留槽11を接続すると共に、該雨水濾過材7とゴミ除去網8の上方側または下方側に前記雨水流通路から排水溝16に通じる溢出雨水分岐樋5を設けて構成した事を特徴とする雨水除塵取水装置17を設置する。【選択図】    図１
0003129492.tif 000002
【実用新案登録請求の範囲】
【請求項１】
屋根を流れる雨水を地上に流す竪樋の雨水流通路14の上方側に雨水濾過材7とゴミ除去網6を内設かつ下方側の取水口8に雨水貯留槽11を接続すると共に、該雨水濾過材7とゴミ除去網8の上方側または下方側に前記雨水流通路から排水溝16に通じる溢出雨水分岐樋5を設けて構成した事を特徴とする雨水除塵取水装置17.。
【考案の詳細な説明】
【技術分野】
【０００１】
本考案は、広く各家庭単位にまでの普及を図る雨水利用を目的として。建物の竪樋からの雨水を.ゴミを除去して取水し貯留するための.簡便性の高い雨水除塵取水装置に関するものである。
【背景技術】
【０００２】
近年.市街地拡大による水不足や不浸透地表面の増加と雨水流質量の増大による洪水等と水環境問題が重視されるなか、雨水貯留.浸透対策は国や地方自治体主導により推進されてきているが、下記文献の「雨水貯留．浸透施設要覧」によれば、「多くは大規模施設技術であり、今後は分散型小規模施設技術と雨水管理のシステム化が期待される。
私・民の自立分散型の各家庭単位まで広がる小規模技術の普及が求められる」とあり、現在竪樋直結の雨水取水装置は各種製品化されている。高性能高価なものからシンプル構造で安価だが除塵機能無しのものや、精巧な濾過装置は考えられているが、小規模施設や家庭単位の需要者の要望に見合う簡便なものを見つけることは出来ない。
【非特許文献１】登録実用新案広報  実願平１１−４０６６
【非特許文献２】経済調査会発行    雨水貯留・浸透施設要覧
【考案の開示】
【考案が解決しようとする課題】
【０００３】
家庭単位の雨水利用は個人の創意工夫なども多いが一般的には未完状態で、切断樋下にバケツを置く程度で、ゴミ入雨水の貯留を強いられ，多雨には水はバケツを溢れ出し、周囲水浸しとなるなど不便が多い。
【課題を解決するための手段】
【０００４】
屋根を流れる雨水を地上に流す竪樋の雨水流通路14の上方側に雨水濾過材7とゴミ除去網6を内設しかつ下方側の取水口8に雨水貯留槽11を接続すると共に、該雨水濾過材7とゴミ除去網8の上方側または下方側に前記雨水流通路から排水溝16に通じる溢出雨水分岐樋5を設けて構成した事を特徴とする雨水除塵取水装置17をつくる。
【考案の効果】
【０００５】
竪樋の雨水流通路14の雨水は受水筒部1に設置された斜流板2により、常に取水筒部4へ流れる構造としており、取水筒部1には取り外し可能なゴミ濾過材7を設置し下面に取水口8を設けているため、ゴミ除去済の雨水を取水する事が出来るが、取水不要な場合は取水口8の開閉コック9を閉めれば雨水は溢出雨水分岐樋5を経てもとの下部竪樋15から排水溝へ排出される。豪雨時、取水筒部4で溢れた雨水も同様に排出される。また貯留槽11の満水位12と本装置内の溢水位13即ち溢出雨水分岐樋5の高さを同一に設置すれば貯留槽から水が溢れる事はない。
【考案を実施するための最良の形態】
【０００６】
雨水除塵取水装置17は、耐候性に優れ衝撃に強く軽量な素材、例えばポリカーボネートを使い，コンパクトな構造で取扱いは簡単なものとする。本装置17は雨水取水に適切な竪樋の適切な位置に取り付ける筒状型のもので、竪樋の雨水流通炉14の一部を切断除去した空隙に、はめ込むように設置する。雨水流通路14の切断部を装置17上部の受水筒部1へ入れ込み、装置17下部の溢出雨水分岐樋5は下部竪樋15の中に落とし込んで切断竪樋上下を繋いで固定する。受水筒部1は雨水流通路14からの雨水を取水筒部4へ受け流す機能を持つが、そのため、受水筒部1と直下の溢出雨水分岐樋5の間に斜流板2を取付ける。
取水筒部4にはゴミ濾過材7やゴミ除去網6を内臓させ、底面には開閉コック9付きの
取水口8を取り付け、貯留槽11へつなげてゴミを除去した雨水を貯留する。装置17は受水筒部1と取水筒部4と溢出雨水分岐樋5の三部分を持つ構造で受水筒部1下部は二つの筒となり取水筒部4と溢出雨水分岐樋5になる。取水筒部4と溢出雨水分岐樋5は隣り合わせの構造なので取水筒部4の溢水は溢出雨水分岐樋5に流れて切断された下部竪樋15を経て排水溝16に排出する。装置17上面には、取水筒部4に内蔵された合成繊維等のゴミ濾過材7や、ステンレスのゴミ除去網6の取替えや掃除のための蓋3をつけておく。
【図面の簡単な説明】
【０００７】
【図１】本考案実施例1の構造を示す図である。
【図２】本装置の部品構成を説明する分解図である。
【図３】本装置を竪樋に取り付けた状態の側面図である。
【図４】実施例2の構造を示す図である。
【符号の説明】
【０００８】
１受水筒部
２斜流板
３蓋
４取水筒部
５溢出雨水分岐樋
６ゴミ除去網
７ゴミ濾過材
８取水口
９開閉コック
１０ホース
１１貯留槽
１２満水位
１３溢水位
１４雨水流通路
１５下部竪樋
１６排水溝
１７雨水除塵取水装置
【図１】
0003129492.tif 000003
【図２】
0003129492.tif 000004
【図３】
0003129492.tif 000005
【図４】
0003129492.tif 000006
(57)【要約】      （修正有）【課題】本考案は、雑誌等において綴じ込まれる付録と広告頁とが表裏一体と成ることによって、紙製の広告媒体が、広告主の利益になるのみならず、同時にそれを受取った公衆の利益にもなるような一石二鳥の効果を発揮することができる新しい広告用媒体を提供することを目的とする。【解決手段】本考案は、各種の文字や図面等によって表現されているちらし等の一面部１に商品やサービスなどの広告用の宣伝文や写真などを印刷した広告部を設け、他面部２には任意の形態から成る物体を形取った本体部３及び折曲部４・・を設け、前記本体部及び折曲部の周囲には切取り用の輪郭線６・・を設けて成る。【選択図】図２
0003129045.tif 000002
【実用新案登録請求の範囲】
【請求項１】
各種の文字や図面等によって表現されているちらし等の一面部に商品やサービスなどの広告用の宣伝文や写真などを印刷した広告部を設け、他面部には任意の形態から成る物体を形取った本体部及び折曲部を設け、前記本体部及び折曲部の周囲には切取り用の輪郭線を設けて成ることを特徴とする広告用媒体。
【請求項２】
各種の文字や図面等によって表現されている雑誌広告体の一面部に商品やサービスなどの広告用の宣伝文や写真などを印刷した広告部を設け、他面部には任意の形態から成る物体を形取った本体部及び折曲部を設け、前記本体部及び折曲部の周囲には切取り用の輪郭線を設けて成ることを特徴とする広告用媒体。
【考案の詳細な説明】
【技術分野】
【０００１】
本考案は、新機軸の広告用媒体に関するものである。
【背景技術】
【０００２】
従来、広告用の媒体としては各種の手段のものが存するが、従来から存するちらしによる広告媒体となるものは、広告主の利益だけを考えて印刷し頒布するものであって、その広告用媒体そのものがそれを受取った公衆のためになるようなものではなかった。
【０００３】
広告用媒体としてのちらしに関しては、例えば特許文献１，２のような刊行物が知られているが、いずれも実用性に欠けるものであった。
【０００４】
また、包装用の台紙にキャラクター等を印刷しておき、切り離してお面等として利用する特許文献３のようなものも知られているが、広告効果のないものである。
【０００５】
【特許文献１】特開平８−２１１８２８号公報
【特許文献２】特許第２８３５４２８号公報
【特許文献３】特開２００２−２５５２４２号公報
【考案の開示】
【考案が解決しようとする課題】
【０００６】
そこで、本考案は、雑誌等において綴じ込まれる付録と広告頁とが表裏一体と成ることによって、紙製の広告媒体が、広告主の利益になるのみならず、同時にそれを受取った公衆の利益にもなるような一石二鳥の効果を発揮することができる新しい広告用媒体を提供することを目的とするものである。
【課題を解決するための手段】
【０００７】
本考案は、各種の文字や図面等によって表現されているちらし等の一面部に商品やサービスなどの広告用の宣伝文や写真などを印刷した広告部を設け、他面部には任意の形態から成る物体を形取った本体部及び折曲部を設け、前記本体部及び折曲部の周囲には切取り用の輪郭線を設けて成るものである。
【考案の効果】
【０００８】
第１に、本考案にあっては、雑誌等に綴じ込まれているおまけ的性質を有する付録と広告頁とを、一枚のちらし様の広告媒体の表裏両面に設けて構成するものであるから、広告主側の利益と公衆側の利益との一石二鳥の効果を発揮することができる広告媒体となる。
【０００９】
第２に、ちらし様媒体の一面部に表現して設ける物体としては、紙飛行機その他各種各様なものを創作することができることから、一枚のちらしが発揮する広告宣伝力に加えて、商品やサービスの販促効果を高めることができるものになる。
【考案を実施するための最良の形態】
【００１０】
図面に例示するように、いま一枚のちらし様の広告媒体の他面の本体部に表現されている任意形状から成る飛行機図形の輪郭線に沿って切り取りかつ折曲部に沿って曲折し、必要部分を接着すれば、所定形状の紙飛行機を全体のバランスを保持した状態に作製することができる。
【００１１】
この場合、ちらし様の広告媒体の一面部に印刷されている広告主の宣伝文等は、これ自体独立して所期の目的を達成することになるが、これは前記本体部の表現物体の形状や模様等とは特に関係がない。
【実施例】
【００１２】
１は各種の文字や図面等によって表現されているちらしａの一面部で、この一面部には専ら広告主からの宣伝文等が印刷されているが、後記する実用目的となる紙飛行機等の物体とは特に関係がない。  
【００１３】
２は前記ちらしａの他面部で、この他面部においては飛行機等の物体となる本体部３が設けられ、この本体部には宣伝客体の模様やマーク等が色彩豊かに表現されている。この本体部に表現される物体としては各種任意のものが考えられる。
【００１４】
４・・は前記本体部３の前端部に適当巾間隔をおいて設ける折れ線５・・によって仕切られている折曲部で、この折曲部には宣伝客体の名称やマーク等を表示してもよい。
【００１５】
６・・は前記飛行機等の物体の本体部３及び折曲部４・・の輪郭線で、この輪郭線に沿って切り取るようになるが、この輪郭線にはミシン目を付けてもよい。
【００１６】
ｂは前記ちらしａの他面部において印刷表現されている飛行機の前記本体部３と前記折曲部４・・の輪郭線６・・に沿って切り込み折曲して構成した紙飛行機体で、この紙飛行機体の本体部３の形状は任意である。
【００１７】
なお、前記ちらしａは、これに代えて雑誌中の広告体として使用される挿し込み体であってもよい。
【図面の簡単な説明】
【００１８】
【図１】ちらし一面部の広告部の正面図
【図２】ちらし他面部の本体部の正面図
【図３】要部の正面図
【図４】（Ａ）は組立てた物体の正斜視図，（Ｂ）は組立てた物体の背斜視図
【符号の説明】
【００１９】
１                  一面部
２                  他面部
３                  本体部
４・・              折曲部    
５・・              折れ線      
６・・              輪郭線
ａ                  ちらし          
ｂ                  紙飛行機体
【図１】
0003129045.tif 000003
【図２】
0003129045.tif 000004
【図３】
0003129045.tif 000005
【図４】
0003129045.tif 000006
(57)【要約】【課題】癒し効果を発揮させる化粧用ブラシを提供する。【解決手段】筆毛１を環状の口金２により束ねて筒状の筆軸３に差込んで取付けたフェイスブラシにおいて、筆軸３にゲルマニウム等のマイナスイオン発生体６とハーブ等の天然香料のうち、少なくとも一方を入れて、使用時にはマイナスイオン又は芳しい香りを発散させ、心身をリラクゼーションさせて癒し効果を発揮させる。【選択図】図２
0003129020.tif 000002
【実用新案登録請求の範囲】
【請求項１】
筒状をなす筆軸と、該筆軸の一端に差込んで取付けられる筆毛とよりなる化粧用ブラシにおいて、筆軸内にマイナスイオンを発生させるマイナスイオン発生体と、天然香料のうち、少なくとも１つを入れたことを特徴とする化粧用ブラシ。
【考案の詳細な説明】
【技術分野】
【０００１】
本考案は、フェイスブラシ、アイシャドウブラシ、リップブラシ等の化粧用ブラシに関する。
【背景技術】
【０００２】
図１は、フェイスブラシの一例を示すもので、山羊、馬、豚等の獣毛或いはナイロン、ポリプロピレン、ポリエチレンテレフタレート等の樹脂製の毛よりなる筆毛１を環状の口金２により束ねて樹脂製、木製或いは金属製の筒状の筆軸３に差し込んで取付けてなるものである。図中、４は筆軸端を塞ぐ蓋である。
【考案の開示】
【考案が解決しようとする課題】
【０００３】
本考案は、癒し効果を生じさせる化粧用ブラシを提供することを目的とする。
【課題を解決するための手段】
【０００４】
すなわち本考案は、筒状をなす筆軸と、該筆軸の一端に差込んで取付けられる筆毛とよりなる化粧用ブラシにおいて、筆軸内にマイナスイオンを発生させるマイナスイオン発生体と、天然香料のうち、少なくとも１つを入れたことを特徴とする。
【考案の効果】
【０００５】
本考案の化粧用ブラシによると、使用時にはマイナスイオン発生体より発生するマイナスイオン又は天然香料より発生する香りが心身を癒し、リラクゼーション効果を発揮させる。
【０００６】
本考案の化粧用ブラシは、筒状の容器に出し入れ可能に装着し、容器内に納めたときには筆毛が窄まった状態で容器内に押込まれ、容器より押出すと、筆毛が膨出するようにしてもよい。不使用時には筆毛を容器内に納めておくことにより、筆毛に埃が付着したり、汚れるのが防止される。
【考案を実施するための最良の形態】
【０００７】
以下、本考案の実施形態のフェイスブラシについて図面により説明する。
図２に示すフェイスブラシは、図１に示すフェイスブラシにおいて、筆軸３にマイナスイオンを発生するマイナスイオン発生体、例えばゲルマニウム、セレニウム、トルマリン石、貴陽石、麦飯石、健緑石などの一種又は二種以上のマイナスイオン発生体を入れた袋６を蓋４を外した筆軸端から挿入して納めたもので、筆毛１で肌をなでると、マイナスイオンが発散し、これが鼻孔を通じて体内に取込まれ、心身をリラクゼーションして癒し効果を発揮させるようにしている。
【０００８】
上記実施形態では、マイナスイオン発生体は袋６に入れられて筆軸３に納められているが、剥き出しのままで筆軸３にいれてもよい。
【０００９】
また別の実施形態ではマイナスイオン発生体に代えて、或いはマイナスイオン発生体と共に天然香料、例えばハーブが袋６内に納められ、使用時にはハーブの芳しい香りを発散させて、癒し効果を発揮させるようにする。
【図面の簡単な説明】
【００１０】
【図１】従来のフェイスブラシの正面図
【図２】本考案に係るフェイスブラシの部分断面正面図
【符号の説明】
【００１１】
１・・筆毛
２・・口金
３・・筆軸
４・・蓋
６・・袋
【図１】
0003129020.tif 000003
【図２】
0003129020.tif 000004
(57)【要約】【課題】ＦＩＤの点火確認やノズルの汚れチェック等の作業性を改善したガスクロマトグラフを提供する。【解決手段】ＦＩＤ１０の排気口６ａ付近に鏡１１を設置すると共に、この鏡１１の角度や位置を調節する調節機構１２を備えてガスクロマトグラフを構成する。このように構成することにより、オペレータは点火確認のために手鏡などを用意する必要が無く、ガスクロマトグラフの前方位置から鏡１１に映して水素炎の有無や形状を確認することが可能となり、作業性が向上する。【選択図】          図１
0003129011.tif 000002
【実用新案登録請求の範囲】
【請求項１】
上方に水素炎の燃焼排ガスを排出する排気口を有する水素炎イオン化検出器を備えるガスクロマトグラフにおいて、前記排気口に近接して鏡を設置すると共に、前記鏡の位置と角度を調節する調節機構を備えたことを特徴とするガスクロマトグラフ。
【請求項２】
鏡として凹面鏡を用いることを特徴とする請求項１に記載のガスクロマトグラフ。
【考案の詳細な説明】
【技術分野】
【０００１】
本考案は水素炎イオン化検出器（以下、ＦＩＤと記す）を備えたガスクロマトグラフに関する。
【背景技術】
【０００２】
ＦＩＤは、水素ガスが助燃空気の存在下で燃焼する炎の中に試料ガスを通し、試料ガス中の有機物質を構成する炭素原子が水素炎中でイオン化することによって生じるイオン電流を測定するもので、ガスクロマトグラフ用の検出器として広く用いられている。
【０００３】
ＦＩＤの具体的な構造およびその動作については特許文献１に従来技術として詳しく記載されているが、以下に概要を説明する。
図２は従来のＦＩＤの概略構成を模式的に示したものである。
同図において、１はガスクロマトグラフのカラム、２は検出器ベースであり、その下部のカラム接続部３にカラム１の末端が接続される。カラム１から流出する試料ガスを含むキャリアガスは水素ガス導入口２ａから導入される水素ガス（または水素と窒素の混合ガス）と混合してノズル４の中を上昇し、その先端に被せられた金属製のノズルチップ５の先で燃焼して水素炎Ａを形成する。助燃ガス導入口２ｂから導入される空気がこの燃焼を助ける。ノズルチップ５には高圧電源７により高電圧が印加されているので、水素炎Ａ上方に設けられた円筒状のコレクタ電極８との間に電位差が生じ、これにより水素炎Ａ中で発生したイオンはコレクタ電極８に捕集されて電流を生じる。これを増幅器９で増幅してＦＩＤ１０の出力信号とする。
なお、ＦＩＤ１０の上部はハウジング６で覆われ、その頂部に燃焼排ガスを排出する排気口６ａが上方に向けて設けられている。
【０００４】
【特許文献１】特開平７−１０３９５７号公報
【考案の開示】
【考案が解決しようとする課題】
【０００５】
従来、ＦＩＤを使用するに際し、オペレータがＦＩＤの排気口付近に鏡などをかざして水素の燃焼により発生する水蒸気が鏡面に結露することを目視観測することにより水素炎が点火していることを確認していた。鏡などが無い場合は、ＦＩＤの排気口を上から覗き込んで直接目視で確かめることもあった。また、ノズルが試料残渣等で詰まり水素炎の形状が変わると、ノイズが発生したり検出感度が変化して測定の再現性が悪化するので、オペレータは時々排気口内を覗き込んで水素炎の形状を見てノズルの汚れをチェックしていた。
【０００６】
このためオペレータは手鏡などを用意しておく必要があり、或いはＦＩＤを覗き込むにはガスクロマトグラフ装置の高さが高いため、背の低い者には苦痛な作業であった。
本考案はこのような事情に鑑みてなされたものであり、ＦＩＤの点火確認やノズルの汚れ点検等の作業性を改善したガスクロマトグラフを提供することを目的とする。
【課題を解決するための手段】
【０００７】
本考案は、上記課題を解決するために、ＦＩＤの排気口付近に鏡を設置すると共に、この鏡の角度や位置を調節する調節機構を備えてガスクロマトグラフを構成する。
【考案の効果】
【０００８】
本考案は上記のように構成されているので、オペレータは点火確認に際して手鏡などを用意する必要が無く、また、運転中も随時にガスクロマトグラフの前方位置からこの鏡に映して水素炎の有無や形状を確認することが可能となり、作業性が向上する。  
【考案を実施するための最良の形態】
【０００９】
本考案が提供するガスクロマトグラフの第１の特徴はＦＩＤの排気口付近に鏡を設置するように構成した点にあり、第２の特徴はこの鏡の角度や位置を調節する調節機構を備えるように構成した点である。
従って、最良の形態の基本的な構成は、上記２件の特徴的構成を具備するガスクロマトグラフである。
【００１０】
図１に本考案の一実施例を示す。同図（Ａ）はガスクロマトグラフの全体構成を示し、その破線円内の拡大図が同図（Ｂ）である。同図（Ａ）に示すように、ＦＩＤ１０がガスクロマトグラフのオーブン２０の上部に設けられ、その一部はオーブン上面２１から突出している。ＦＩＤ１０の構成は図２と同様であり、その頂部の水素の燃焼ガスを排出する排気口６ａに近接して鏡１１が設けられている。１２は、鏡１１を保持すると共に２カ所の関節部１２ａ、１２ｂにより鏡１１の位置と角度を自在に調節できる調節機構であって、ガスクロマトグラフのオーブン上面２１に固定されている。
【００１１】
このように構成された本実施例において、鏡１１を排気口６ａに近づけておいて、オペレータが点火操作を行う。点火すれば鏡面に結露Ｂが生じて鏡１１が曇ることで容易に点火を確認することができる。その後は継続して鏡面が高温の排気流に曝されることで鏡１１の温度が上がることにより、また、必要に応じ鏡１１の位置を少し移動させることにより、鏡面の結露Ｂは消えるので、オペレータは前方位置から鏡１１に映してＦＩＤ１０内の炎の有無や形状等を観察することが可能となり、消炎や異常燃焼等を直ちに察知することができる。
【００１２】
なお、上記の鏡１１として凹面鏡を用いるとさらに効果的である。凹面鏡を用いることにより、オペレータはＦＩＤ１０内部を拡大して観察することが可能となり、ノズルの詰まり等のチェックが容易に行えるようになる。
また、上記説明中の鏡は所謂ガラス製の鏡に限らず、例えば表面に鏡面加工を施した金属部材等をも含むものとする。
【産業上の利用可能性】
【００１３】
本考案はガスクロマトグラフに利用できる。
【図面の簡単な説明】
【００１４】
【図１】本考案の一実施例を示す図である。
【図２】従来のＦＩＤの構成を示す図である。
【符号の説明】
【００１５】
１  カラム
２  検出器ベース
２ａ  水素ガス導入口
２ｂ  助燃ガス導入口
３  カラム接続部
４  ノズル
５  ノズルチップ
６  ハウジング
６ａ  排気口
７  高圧電源
８  コレクタ電極
９  増幅器
１０  ＦＩＤ
１１  鏡
１２  調節機構
１２ａ  関節部
１２ｂ  関節部
２０  オーブン
２１  オーブン上面
Ａ  水素炎
Ｂ  結露
【図１】
0003129011.tif 000003
【図２】
0003129011.tif 000004
(57)【要約】【課題】炊事等作業用として使用される胸から膝下までを覆う前掛けにおいて、身体に固定する際従来の紐式や剛性のある弾性体では動きにくく作業に支障をきたし、さらには肩こりなどの原因ともなっていた。【解決手段】インドの民族衣装であるサリーに似て、構成生地が片側の肩だけにかかり、ウエスト部の固定も後背部でピンポイントに止めることにより、作業に支障をきたさず身体に対するストレスも少なくできる。さらに本考案前掛け自体を反転させることにより肩に掛かる位置を左右逆転することができ、利き腕に合った着用が可能である。【選択図】図２
0003129032.tif 000002
【実用新案登録請求の範囲】
【請求項１】
炊事など作業用として使用される胸から膝下までを覆う前掛けにおいて、左右の袖を有せず片側の肩にのみ当該前掛けを構成する生地が、落下防止のために掛かるように配された構造である前掛け。
【請求項２】
その構成する素材がゴムまたは熱可塑性樹脂のフィルムであることを特徴とする請求項１記載の前掛け。
【請求項３】
その構成する素材がゴムまたは熱可塑性樹脂を、天然または合成繊維で作られた織物、編み物または不織布と貼り合わせた物であることを特徴とする請求項１記載の前掛け。
【考案の詳細な説明】
【技術分野】
【０００１】
本考案は作業時の疲労度を軽減し、作業効率をアップする前掛けに関する物である。
【背景技術】
【０００２】
従来、種々の作業において、作業者の衣服などの汚染を防止するために、主として作業者の前部部分を被覆するように形成された前掛けが使用されている。
【０００３】
このような前掛けにおいては、一般的に作業者の上半身部分及び下半身部分の両方を被覆する形式のもの、あるいはいずれか一方だけを被覆する形式の物などがある。
【０００４】
上半身、下半身両方を被覆する形式のものは、その固定の方法において当該前掛けの胸当て部分に紐をとりつけ、着用者の首の後ろを回してもう一方に取り付けるものが多い。また、ウエスト部分にも紐をつけ背中側で結んで固定する方法が一般的である。
【０００５】
しかし、この固定の方法では単純な動きであれば問題ないが、複雑な動作をくり返すと固定用に首に回している紐により、首周りに疲労が蓄積し肩こりの原因となることが報告されている。
【０００６】
また、ウエスト部の固定紐においても、前屈みになる作業においてはスムーズな動きを阻害するため、作業に支障をきたしているし何よりも危険物を扱う場合においては安全面で問題があった。
【０００７】
この解決のためにウエスト部にピアノ線のような剛性のある素材を仕込み、その弾性力によって固定するものも上市されているが、ウエスト部のみの固定では大きな動作をしたときに外れてしまう等の問題があった。
【特許文献１】実用新案登録第３０９７４８５号
【考案の開示】
【考案が解決しようとする課題】
【０００８】
解決しようとする問題点は、着脱が容易で作業時に体にかかる負担が少なく安定した構造とすることである。
【課題を解決するための手段】
【０００９】
本考案は、当該前掛けの固定方法において、紐で結んだり剛性のある弾性体で締め付けることをしないため、人体かかる負荷を低減する構造としたことを主要な特徴とする。
【考案の効果】
【００１０】
本考案の外観は片側だけが肩にかかり両腕が露出することから、インドの民族衣装であるサリーに良く似ている。この形状はゆったりと体を覆い、後背部をホック等で固定することから部分的にも締め付けられる事はなく、作業時に体にかかる負担を大きく低減する効果がある。
【考案を実施するための最良の形態】
【００１１】
きつく固定する方法をとらず、両腕を露出していることから、作業者の負荷を低減し且つ作業効率のアップを実現した。
【００１２】
さらに、利き腕側の肩に当該前掛けがかかるよりは、逆側の肩にかかったほうが作業効率が良く、当該本考案前掛けはその形状から使用者の利き腕によって表裏を反転させて使用する事が可能である。
【実施例１】
【００１３】
図２は、本考案の展開図であり、１は本体部分、２は接合部、３は腕通し部分、４は後背部の留め具である。
【００１４】
図１は図２の接合部２部分を接合したもので本考案の前掛けの完成図である。
【００１５】
図３と図４は着用した状態を示しているが、図３が正面図であり図４が背面図である。
【００１６】
実施例では本考案前掛けの素材としてポリウレタン製フィルムを用いたが、繊維と貼り合わせる場合においても、使用されるゴムまたは熱可塑性樹脂は例えば天然ゴム、合成ゴム、ポリ塩化ビニル、ポリウレタン、エチレンプロピレン共重合物、ポリエチレン、ポリスチレン等があるが、柔軟性を有する物であれば良く、特に限定されものではない。
【００１７】
また、後背部に設けられた固定具４としてホック、ボタンなどがあるが、全体を締めることなくピンポイントで強固に固定することが可能であれば特に限定はされない。
【００１８】
さらに、２の接合方法については熱融着、ウェルダー溶着、縫製、接着などあるが材料の性質により適宜選択される物である。
【図面の簡単な説明】
【００１９】
【図１】本考案完成図である。
【図２】本考案の展開図ある。
【図３】本考案の着用状態正面図である。
【図４】本考案の着用状態背面図である。
【符号の説明】
【００２０】
１    本体
２    接合部
３    腕通し部
４    固定具
【図１】
0003129032.tif 000003
【図２】
0003129032.tif 000004
【図３】
0003129032.tif 000005
【図４】
0003129032.tif 000006
(57)【要約】【課題】超伝導体の持つ効果及び作用について判りやすく、簡単な実験でこれを説明する事にある。【解決手段】本考案では、冷却媒体と超伝導体とを入れたカップをスタンドに設置し、磁石を入れた受けカップ付地球儀をスタンドの下に近ずけていくと、超伝導体と磁石が反応を起こし受けカップ付地球儀は空中に浮遊した状態を維持する。かつ受けカップ付地球儀は回転を始める。それはあたかも地球が自転をしているように見える。このような浮遊実験装置によれば、超伝導体と磁石との間にいかなる効果、作用があるか、どうして地球儀が回転するのか、興味を起こしながら学習する事ができる。【選択図】図１
0003129099.tif 000002
【実用新案登録請求の範囲】
【請求項１】
木、紙又はプラスチックの球体の中心部に受けカップの挿入できる穴を開け、受けカップを挿入し設置する。
受けカップを中心軸に持つこのような球体を地球儀に置き換えて製作した受けカップ付地球儀。
【請求項２】
請求項１の受けカップ付地球儀を浮遊させるため、超伝導を入れたカップを保持する為の実験装置。
【考案の詳細な説明】
【技術分野】
【０００１】超伝導体の効果に関する実験
【背景技術】
【０００２】近年超伝導体が作られてからはその効果、作用についてはいろいろな分野で研究がなされ、利用されてきてはいるが、まだまだ未知の分野も未利用分野も多くあり、早急に解明される事が期待されている。一方この最近の技術については、一般の人々には不明な点も多く、判らないでいるのも実情である。特に青少年の人々に大いなる関心を持ってもらわねばならない。
【考案の開示】
【考案が解決しようとする課題】
【０００３】超伝導体の持つ効果及び作用についてわかりやすく、簡単な技術でこれを説明する事にある。
【課題を解決するための手段】
【０００４】本考案では超伝導体と受けカップ（２）をもつ受けカップ付地球儀（１）との間に起こる反応、作用、状態を見ることにより疑問、課題を勉強する事になり、理解しやすくするためのものである。
【実施例１】
【０００５】木、紙又はプラステックの球体の中心部に受けカップ（２）の挿入のできる穴を開け、受けカップ（２）を設置する。受けカップ（２）を中心軸に持つこのような球体（１）を地球儀に置き換えて受けカップ付地球儀（１）を製作した。受けカップ〔２〕の中に磁石（５）を数個入れ設置して置く。
他方、別のカップ（６）をスタンド（８）の受けリング（９）に設置し、中に超伝導体と冷却媒体を入れておく。本考案の受けカップ付地球儀をスタンドに設置したカップ（６）に近ずけていくと、受けカップ付地球儀（１）は浮き上がり、空中に浮遊した状態になり、回転を始める。（地球が自転をしている状態を目にしてるような感じを与える）このような現象を実験で紹介するために用いるのが本考案の受けカップ付地球儀と浮遊実験装置である。
【図面の簡単な説明】
【０００６】
【図１】、受けカップ付地球儀と浮遊装置状態を維持する為ための実験装置の断面図
【図２】受けカップ付地球儀の断面図である。
【符号の説明】
【０００７】１…・受けカップ付地球儀    、２…受けカップ    、３…支持棒
４…地球儀と支持棒との固着点    ５…磁石    、６…カップ、
７…超伝導体
８…スタンド    ９…受けリング
【図１】
0003129099.tif 000003
【図２】
0003129099.tif 000004
(57)【要約】【課題】本考案は地震災害時等において耐震バネタイロットネジを骨材補強を使用することによって建築物道路標識等の安全を守る機具である。【解決手段】本考案は耐震バネタイロットネジ受け軸の組み合わせにより骨材補強の耐震ネジとして必ず役立つ。【選択図】図１
0003129097.tif 000002
【実用新案登録請求の範囲】
【請求項１】
「建築物骨材補強、道路上標識ポール補強において耐震バネネジを使用することで
（１）耐震バネタイロットネジの支持補強取付けによって地震、台風等による破損を最小限にくい止めることができる。
（２）建築物道路標識の耐震バネタイロットネジ補強には受け軸の形によって多様の取付けが可能になる。
（２）バネの引張力・圧縮力左右ぶれ力にネジナットしめにより耐震の効果がより一層強いものになる。
以上の構成から成る耐震バネタイロットネジ」
【考案の詳細な説明】
【技術分野】
【０００１】本考案は丸鉄（Ｓ３５Ｃ）を焼き戻し焼き入れにより引張力バネ圧縮力バネの両先端にネジを切り建築物道路上ポール等の耐震骨材補強機具に関するものである。
【背景技術】
【０００２】地震・災害時等において、最低限の骨材補強には欠かせない機具である。
【考案の開示】
【考案が解決しようとす課題】
【０００３】耐震バネタイロットネジを建築物道路上標識ポールの骨材補強は現在の耐震補強を考えるとバネの性質とネジの使用において簡単に骨材補強部品としては活気的なものである。
【課題を解決するための手段】
【０００４】本考案は骨材補強金具耐震バネタイロットネジと受け軸金具と固定することによってバネ本来の力とネジ本来の使い良さによって従来の固定金具の問題点を解決している。
【考案の効果】
【０００５】上迷のように本考案の耐震バネタイロットネジを使用することによって災害時の建物の破損、道路標識ポールの折り曲げ破損から最小限の安全に役立つ。
【考案を実施するための最良の形態】
【０００６】耐震バネタイロットネジはバネ両ネジ金具と受け軸金具の接合により接合面の摩擦における欠点をバネ本来の引張力、圧縮力揺れ戻しによるバネ特徴を生かし耐震本来の役目果たす固定金具耐震バネタイロットネジである。
【実施例】
【０００７】以下図面に従って一実施例を説明する。
図１は耐震バネタイロットネジ（引張力）側面図と上面図である。
図２は耐震バネタイロットネジ（圧縮力）側面図と上面図である。
１は引張力（丸鉄Ｓ３５Ｃ）のバネの部分である。
２はネジ（丸鉄Ｓ３５Ｃ）の部分である。
３は圧縮力（丸鉄Ｓ３５Ｃ）のバネの部分である。
４はネジ（丸鉄Ｓ３５Ｃ）の部分である。【０００８】耐震バネタイロットネジは骨材補強の条件により１・２・３・４の部材（丸鉄Ｓ３５Ｃ）太さ長さの変更により受け軸と固定金具として使用するものである。【０００９】本考案の実施例は上迷の如き構成から成るものであるから常に災害時に備えて建築物道路標識ポール等の安全を考えるには絶対に必要な物と考えている。
【図面の簡単な説明】
【００１０】
【図１】本考案の耐震バネタイロットネジ（引張力用）の実施例を示す正面図である。
【図２】本考案の耐震バネタイロットネジ（圧縮力用）の実施例を示す正面図である。
【符号の説明】
【００１１】  １．引張力バネ（丸鉄Ｓ３５Ｃ材）
２．両ネジ（丸鉄Ｓ３５Ｃ材）
３．圧縮力バネ（丸鉄Ｓ３５Ｃ材）
４．両ネジ（丸鉄Ｓ３５Ｃ材）
【図１】
0003129097.tif 000003
【図２】
0003129097.tif 000004
【手続補正書】
【提出日】平成18年7月6日(2006.7.6)
【手続補正１】
【補正対象書類名】実用新案登録請求の範囲
【補正対象項目名】全文
【補正方法】変更
【補正の内容】
【実用新案登録請求の範囲】
【請求項１】
「耐震バネタイロットネジは丸鋼材（Ｓ３５Ｃ）丸径６ｍｍ〜１２ｍｍ（補強度のよって変わる）材料を使用しタイロット（両ネジ３０ｍｍから５０ｍｍ）のネジを切り加熱（７００℃〜８００℃）よりバネに巻き上げる。
その後焼き入処理（５００℃〜６００℃）を行なう。
バネに両ネジを付ける事によって建築物、耐震補強、道路上標識ポール耐震補強土木工事耐震補強において耐震バネネジを使用する事で
（１）耐震バネタイロットネジの支持補強取付けによって地震、台風等のよる破損を最小限にくい止めることができる。
（２）建築物道路標識の耐震バネタイロットネジ補強には受け軸の形によって多様の取付けが可能になる。
（３）バネの引帳力・圧縮力左右ぶれ力にネジナットしめにより耐震の効果がより一層強いものになる。
以上の構成から成る耐震バネタイロットネジ」
【手続補正書】
【提出日】平成18年10月3日(2006.10.3)
【手続補正１】
【補正対象書類名】実用新案登録請求の範囲
【補正対象項目名】全文
【補正方法】変更
【補正の内容】
【実用新案登録請求の範囲】
【請求項１】
耐震バネタイロットネジは建設土木工事における耐震に対する強力の力における補強観点から見て耐震補強指示の部材の使用において丸鉱材をバネ状に巻き両先端の中心部にネジを作ることによって性能性質を生かしこのような形状を有する耐震バネタイロットネジ。
(57)【要約】【課題】導電性ペースト・インク・樹脂等をスクリーン印刷する際の導電性ペースト等のスキージ付着を防ぎ、印刷性、ペーストの充填性を改善する。【解決手段】印刷スキージの表面にエッチング、電鋳法等により繰り返し凸部を形成する。また、スキージ表面にフッ素微粒子を含有する分散めっきを行う。【選択図】図１
0003129095.tif 000002
【実用新案登録請求の範囲】
【請求項１】
導電性ペースト・インク・樹脂等をスクリーン印刷する際に使用するスキージにおいて、印刷スキージの表面に、繰り返し凸部を設けることを特徴とする印刷スキージ。
【請求項２】
凸部がエッチングによって形成されてなる請求項１記載の印刷スキージ。
【請求項３】
凸部が電鋳法によって形成されてなる請求項１記載の印刷スキージ。
【請求項４】
フッ素微粒子を含有する分散めっきで表面を被覆することを特徴とする請求項１から３いずれかに記載の印刷スキージ。
【考案の詳細な説明】
【技術分野】
【０００１】
本考案は導電性ペースト・インク・樹脂などをスクリーン印刷する際に使用するスキージに関する。
【背景技術】
【０００２】
導電性ペースト・インク・樹脂等をスクリーン印刷する際、従来のスキージではペースト等がスキージに付着してしまうことで、印刷性、インクの充填性に悪影響があり、スキージに付着した導電性ペースト等が劣化することで印刷品質が悪化する問題があった。
【０００３】
スキージ表面に加工を行う技術としては、複数本の直線又は曲線の溝を設けることにより、はんだ攪拌を行う技術が開示されている。
【特許文献１】特開2002-347209
【０００４】
また、スキージ表面にフッ素樹脂加工を行うことにより、はんだ離れ性を向上させる技術が開示されている。
【特許文献２】特許2809156号
【０００５】
しかし、先行文献1のスキージの構造ははんだ攪拌が目的であるため、溝の幅を50〜200μｍに規定しており、一般的なはんだペーストの粒径(10〜30μｍ)よりも大きいため、溝内にはんだペーストが付着することによりはんだ離れ性が十分ではないという問題がある。
また、先行文献2はスキージ表面にフッ素樹脂加工を行う必要があるため、スキージ製造にコストがかかるという問題があった。
【考案の開示】
【考案が解決しようとする課題】
【０００６】
導電性ペースト・インク・樹脂等をスクリーン印刷する際の導電性ペースト等のスキージ付着を防ぎ、印刷性、インクの充填性を改善する。
【課題を解決するための手段】
【０００７】
本発明者らは上記目的を達成するために鋭意改良研究を進めた結果、印刷スキージの表面に繰り返し凸部を設けることにより、導電性ペースト等が付着することなく印刷を行うことができるスキージを考案した。
【０００８】
すなわち、本考案は導電性ペースト・インク・樹脂等をスクリーン印刷する際に使用するスキージにおいて、印刷スキージの表面に、繰り返し凸部を形成することを特徴とする印刷スキージを提供する。
及び、本考案は凸部をエッチングで形成してなる印刷スキージを提供する。
さらに、本考案は凸部に対応した凹部をエッチングで形成した母材上に電鋳法で形成してなる印刷スキージを提供する。
また、本考案は、表面にフッ素微粒子を含有する分散めっきで被覆することを特徴とする印刷スキージを提供する。
【考案の効果】
【０００９】
印刷スキージの表面に、繰り返し凸型形状を形成することでペースト等のスキージ付着を防ぎ、印刷性を向上させることができる。
【考案を実施するための最良の形態】
【００１０】
以下、本考案のスキージの代表的実施様態を説明する。
本考案のスキージにおいて、表面に形成する凸部の形状は円、楕円、多角形等問わないが、ペースト付着防止効果の点から、円形であることが望ましい。
【００１１】
また、凸部の寸法はペースト粒子の大きさや形状によって変更する必要があるが、一般的に用いられているはんだペースト等の粒子の大きさを考慮すると、直径100μｍ〜1ｍm、高さ10〜100μｍ程度が望ましい。
【００１２】
凸部のピッチは100μｍ〜1ｍｍ程度が望ましく、整列させて配置してもよく、千鳥に配置してもよい。
【００１３】
ペースト粒子の大きさ・形状により、またピッチ間隔およびドット寸法・形状によっても付着防止効果が異なる。
【００１４】
本考案のスキージの繰り返し設けられた凸部はエッチング、もしくは電鋳法によって形成するのが好ましい。
【００１５】
図1はエッチング法で本考案のスキージを製造する工程の断面図である。
まずスキージ本体となる金属板にドライフィルムレジストをラミネートし(a)、凸部に対応する位置にレジストパターンを形成する(b)。
図2は図1(b)の平面図である。
【００１６】
エッチングを行い、レジストパターン以外の部分を掘り下げることにより、凸部を形成する(c)。
レジストを除去することにより、凸部の形成されたスキージが得られる(d)。
【００１７】
図3は電鋳法で本考案のスキージを製造する際の母材の製造方法の断面図である。
まずスキージ本体となる金属板にドライフィルムレジストをラミネートし(a´)、凸部に対応する位置以外にレジストパターンを形成する(b´)。
図4は図3(b´)の平面図である。
【００１８】
エッチングを行い、レジストパターン以外の部分を掘り下げることにより、スキージ製造の際の凸部に対応した凹部を形成する(c´)。
レジストを除去することにより、凹部の形成された母材が得られる(d´)。
【００１９】
図5は電鋳法によるスキージの形成方法である。
図3(d)の母型上に電気めっきを行い(e)、母型から剥離することにより、凸部の形成されたスキージが得られる。めっきに用いられる金属としてはニッケル又はニッケル合金が好ましい。
【００２０】
また、本考案のスキージの表面をフッ素樹脂を含有する分散めっきで被覆することにより、ペースト付着防止効果をより向上させることができる。
【００２１】
フッ素樹脂分散めっきの金属としては、強度の点からニッケル又はニッケル合金が望ましい。
【産業上の利用可能性】
【００２２】
本考案のスキージは導電性ペースト・インク・樹脂等をスクリーン印刷する際の導電性ペースト等のスキージ付着を防ぎ、印刷性を向上させることができる。
【図面の簡単な説明】
【００２３】
【図１】本考案のスキージをエッチング法で製造する工程の断面図である。
【図２】図1(b)の平面図である。
【図３】本考案のスキージを電鋳法で製造する際の母材の製造方法の断面図である。
【図４】図3(b´)の平面図である。
【図５】本考案を電鋳法で製造する工程の断面図である。
【符号の説明】
【００２４】
1  スキージ素材
2  ドライフィルムレジスト
3       
電鋳母材
4       
電気めっきにより形成されたスキージ
【図１】
0003129095.tif 000003
【図２】
0003129095.tif 000004
【図３】
0003129095.tif 000005
【図４】
0003129095.tif 000006
【図５】
0003129095.tif 000007
(57)【要約】【課題】単にゲームを行なうことができるにとどまらず、ゲーム以外の種々の機能を備えたポータブルゲーム機を提供する。【解決手段】ゲーム手段３とテレビ放送受信手段とを備えていることを特徴とするポータブルゲーム機。該ポータブルゲーム機には、更にナビゲーション手段を備えさせてもよい。該ポータブルゲーム機には、更に外部記憶装置を備えさせてもよい。該ポータブルゲーム機には、更にカメラ手段を備えさせてもよい。ゲーム手段は、使用者がゲームを楽しむことができるようにする手段ないし装置であり、ゲームの種類、内容等は問わない。【選択図】図１
0003129080.tif 000002
【実用新案登録請求の範囲】
【請求項１】
ゲーム手段とテレビ放送受信手段とを備えていることを特徴とするポータブルゲーム機。
【請求項２】
前記ポータブルゲーム機に更にナビゲーション手段を備えさせたことを特徴とする請求項１に記載のポータブルゲーム機。
【請求項３】
前記ポータブルゲーム機に更に外部記憶装置を備えさせたことを特徴とする請求項１又は２に記載のポータブルゲーム機。
【請求項４】
前記ポータブルゲーム機に更にカメラ手段を備えさせたことを特徴とする請求項１〜３のいずれかに記載のポータブルゲーム機。
【考案の詳細な説明】
【技術分野】
【０００１】
本考案は、ポータブルゲーム機に関するものであり、特にゲーム手段（ゲーム機能）の他、テレビ放送受信手段等の種々の手段を備えたポータブルゲーム機に係るものである。
【背景技術】
【０００２】
ポータブルゲーム機としては、例えば実用新案登録第３０６８１９３号公報に示すように、種々のゲーム手段を備えた様々なものが知られている。
【特許文献１】実用新案登録第３０６８１９３号公報
【考案の開示】
【考案が解決しようとする課題】
【０００３】
本考案は、単にゲームを行なうことができるにとどまらず、ゲーム以外の種々の機能を備えたポータブルゲーム機を提供しようとしてなされたものである。
【課題を解決するための手段】
【０００４】
上記課題を解決するために、本考案は、下記のポータブルゲーム機を提供する。
【０００５】
（１）ゲーム手段とテレビ放送受信手段とを備えていることを特徴とするポータブルゲーム機（請求項１）。
【０００６】
（２）前記ポータブルゲーム機に更にナビゲーション手段を備えさせる（請求項２）。
【０００７】
（３）前記ポータブルゲーム機に更に外部記憶装置を備えさせる（請求項３）。
【０００８】
（４）前記ポータブルゲーム機に更にカメラ手段を備えさせる（請求項４）。
【考案の効果】
【０００９】
［請求項１の考案］
請求項１のポータブルゲーム機は、ゲーム手段とテレビ放送受信手段とを備えているため、使用者は、単にゲームを行なうことができるだけでなく、テレビ放送を楽しむこともできる。
【００１０】
［請求項２の考案］
請求項２のポータブルゲーム機は、ゲーム手段とテレビ放送受信手段の他、更にナビゲーション手段（ナビ機能）を備えているため、地図検索、カーナビとしての使用等が可能であり、更に、ポータブルゲーム機を所持させることにより子供、高齢者等の現在地を確認することも可能である。
【００１１】
［請求項３の考案］
請求項３のポータブルゲーム機は、更に外部記憶装置を備えているため、音楽、映画等をダウンロードして楽しむことができる。また、携帯電話、ＵＳＢケーブル等を接続して通信を行なうこともできる。
【００１２】
［請求項４の考案］
請求項４のポータブルゲーム機は、更にカメラ手段を備えているため、写真、動画等の撮影も可能である。
【考案を実施するための最良の形態】
【００１３】
符号１に示すものはポータブルゲーム機である。
【００１４】
ポータブルゲーム機１は、ゲーム手段３とテレビ放送受信手段５とを備えている。
【００１５】
ゲーム手段３は、使用者がゲームを楽しむことができるようにする手段ないし装置であり、ゲームの種類、内容等は問わない。
【００１６】
符号７、９、１１、１３、１５、１７、１９は、それぞれゲーム用のボタンである。すなわち、符号７は「ＳＴＡＲＴ」ボタン、符号９は「ＳＥＬＥＣＴ」ボタン、符号１１は「Ｘ」ボタン、符号１３は「Ｙ」ボタン、符号１５は「Ａ」ボタン、符号１７は「Ｂ」ボタンである。また、符号１９は、キャラクターを上下左右方向に動かすための操作ボタンである。
【００１７】
符号２１に示すものは、テレビ用又はゲーム用の液晶等の画面である。画面はタッチペンにより種々の操作を行なうようにしたタッチペンタイプのものであってもよい。なお、ポータブルゲーム機１をテレビ受信機に接続して大型のテレビ画面によりゲームを行なうことも可能である。
【００１８】
テレビ放送受信手段５は、テレビ放送を受信するための機器（ＴＶチューナー）である。テレビ放送受信手段３は、ワンセグ放送等のデジタル放送のみならず、アナログ放送の受信も可能である。符号２３に示すものはスピーカー、符号２５に示すものはアンテナである。
【００１９】
ポータブルゲーム機１は、更にナビゲーション手段２７を備えている。
【００２０】
ナビゲーション手段２７は、例えばＧＰＳ受信機を含む。
【００２１】
ポータブルゲーム機１は、更に外部記憶装置２９を備えている。
【００２２】
外部記憶装置２９には、例えばハードディスク２９ａ、ＳＤカード２９ｂ等が含まれる。
【００２３】
ポータブルゲーム機１は、更にカメラ手段３１を備えている。カメラ手段３１は、写真、動画等を撮影するための手段（装置）である。
【００２４】
カメラ手段３１には、カメラレンズ３１ａ、シャッター３１ｂ、フラッシュ３１ｃ等が含まれる。
【００２５】
符号３３に示すものはイヤホンジャック、符号３５に示すものはＵＳＢジャックである。
【図面の簡単な説明】
【００２６】
【図１】本考案によるポータブルゲーム機の一例を示す正面図である。
【図２】同上ポータブルゲーム機の背面図である。
【符号の説明】
【００２７】
１  ポータブルゲーム機
３  ゲーム手段
５  テレビ放送受信手段
７  「ＳＴＡＲＴ」ボタン
９  「ＳＥＬＥＣＴ」ボタン
１１  「Ｘ」ボタン
１３  「Ｙ」ボタン
１５  「Ａ」ボタン
１７  「Ｂ」ボタン
１９  操作ボタン
２１  画面
２３  スピーカー
２５  アンテナ
２７  ナビゲーション手段
２９  外部記憶装置
２９ａ  ハードディスク
２９ｂ  ＳＤカード
３１  カメラ手段
３１ａ  カメラレンズ
３１ｂ  シャッター
３１ｃ  フラッシュ
３３  イヤホンジャック
３５  ＵＳＢジャック
【図１】
0003129080.tif 000003
【図２】
0003129080.tif 000004